(57)【要約】【課題】二次側光コネクタプラグの向きを二次側光ファイバコード及び整列盤を用いて一定方向に揃える手段を提供することを目的とする。【解決手段】一次側光ファイバコード１の先端に取り付けた一次側光コネクタプラグ２と二次側光ファイバコード１２の先端に取り付けた二次側光コネクタプラグ４とを光アダプタ５を介して光接続させる接続盤６と対面する、二次側光コネクタプラグを整列して保持する光ファイバコード整列盤７及び二次側光コードの余長を収納する余長収納部８を備える光ファイバ接続切替装置において、二次側光ファイバコード１２の外形が二等辺三角形の形状であり、その先端に二次側光コネクタープラグ４が嵌合する向きを揃えて取り付けられており、整列盤１３の二次側光ファイバコードを摺動可能に保持する整列孔１４は、二次側光ファイバコード１２と同様な二等辺三角形の形状であることを特徴とする。【選択図】        図１
2004333601.tif 000002
【特許請求の範囲】
【請求項１】
一次側光ファイバコードの先端に取り付けた一次側光コネクタプラグと二次側光ファイバコードの先端に取り付けた二次側光コネクタプラグとを光アダプタを介して光接続させる接続盤と、二次側光コネクタプラグを整列して保持する光ファイバコード整列盤及び前記二次側光ファイバコードの余長を収納する余長収納部を備える光ファイバ接続切替装置において、前記二次側光ファイバコードの外形は回転非対称形状であり、その先端に前記二次側光コネクタプラグが嵌合する向きを揃えて取り付けられており、前記整列盤の二次側光ファイバコードを摺動可能に保持する整列孔は、前記二次側光ファイバコードと同様な回転非対称形状であることを特徴とする光ファイバ接続切替装置。
【請求項２】
請求項１に記載した光ファイバ接続切替装置において、前記回転非対称形状とは、二等辺三角形の形状であることを特徴とする光ファイバ接続切替装置。
【請求項３】
請求項１に記載した光ファイバ接続切替装置において、前記回転非対称形状とは、２つの大小の円を部分的に重ね合わせた形状であることを特徴とする光ファイバ接続切替装置。
【発明の詳細な説明】
【０００１】
【発明の属する技術分野】
本発明は、光ファイバネットワーク等において、光ファイバの接続及び接続解除を自動で行う光ファイバ接続切替装置に関するものである。
【０００２】
【従来の技術】
光ファイバ接続切替装置の従来例を以下に説明する。
一般に光ファイバ接続切替装置は、複数本の一次側、二次側光ファイバ群に対して、任意の一次側光ファイバと任意の二次側光ファイバとを接続又は接続解除する機能を有するものである。
例えば、ロボットハンドを用いて接続切替作業を自動化した光ファイバ接続替え装置が提案されている（特許文献１参照）。
【０００３】
従来の光ファイバ接続切替装置の構成を図８に示す。
図８に示すように、接続盤６と整列盤７とが対向して配置され、接続盤６及び整列盤７の所望の位置にロボットハンド機構９を移動させる移動機構１１が設けられている。
【０００４】
接続盤６は、二次側光ファイバコード３の二次側光コネクタプラグ４と、一次側光ファイバコード１の一次側光コネクタプラグ２を光接続する光アダプタ５を複数設けたものである。
整列盤７は、二次側光ファイバコード３の二次側光コネクタプラグ４を整列・保持する整列孔を複数並べて設けたものである。
【０００５】
ロボットハンド機構９は、二次側光コネクタプラグ４を把持して二次側光ファイバコード３を引き出し、その二次側光コネクタプラグ４を光アダプタ５に対して接続・抜去を行うものである。
更に、整列盤７の後方には、光アダプタ５から二次側光コネクタプラグ４を抜き去った二次側光ファイバコード３を巻き取るローラを備えた巻き上げ機構１０と、巻き取った二次側光ファイバコード３を収納する余長収納部８が設けられている。
【０００６】
従来の光ファイバ接続切替装置による光ファイバコードの接続切替工程を説明する。
先ず、ロボットハンド機構９により接続盤６から二次側光コネクタプラグ４を接続解除し、二次側光コネクタプラグ４の接続解除された二次側光ファイバコード３を巻き上げ機構１０に設けられたローラにより余長収納部８に引き出し、収納し、図９に示すように整列盤７に二次側光コネクタプラグ４を整列・保持する。
【０００７】
次に、ロボットハンド機構９によって二次側光ファイバコード３の二次側光コネクタプラグ４を整列盤７から再度引き出し、接続盤６上の任意の光アダプタ５に再度接続する。
この一連の動作により二次側光ファイバコード３の接続切替を実施するものである。
【０００８】
【特許文献１】
特開平７−３１８８２０号公報
【０００９】
【発明が解決しようとする課題】
光ファイバ接続切替装置によって、一次側光コネクタプラグ２と二次側光コネクタプラグ４を接続盤６を介して接続・嵌合する時は、二次側光コネクタプラグ４の向きを揃えるか、二次側光コネクタプラグ４としてあらゆる向きにおいて一次側光コネクタプラグ２と接続・嵌合できる特別なコネクタプラグを使用する必要がある。
【００１０】
しかしながら、すでに市中にあるＳＣコネクタプラグやＭＵコネクタプラグは嵌合する方向が決まっており、光ファイバ接続切替装置のために特別なコネクタプラグを準備するということは、高コストとなる。
また、コネクタ接続点の反射減衰量を向上させるため、斜め研磨（ＡＰＣ研磨）のコネクタが使われているが、本コネクタは嵌合する方向が予め決まっており、光ファイバ接続替え装置のコネクタプラグには使えない問題があった。
【００１１】
本発明は、上述した事情を鑑みてなされたものであり、二次側光コネクタプラグの向きを二次側光ファイバコード及び整列盤を用いて一定方向に揃える手段を提供することを目的とする。
【００１２】
【課題を解決するための手段】
斯かる目的を達成する本発明の請求項１に係る光ファイバ接続切替装置は、一次側光ファイバコードの先端に取り付けた一次側光コネクタプラグと二次側光ファイバコードの先端に取り付けた二次側光コネクタプラグとを光アダプタを介して光接続させる接続盤と、二次側光コネクタプラグを整列して保持する光ファイバコード整列盤及び前記二次側光ファイバコードの余長を収納する余長収納部を備える光ファイバ接続切替装置において、前記二次側光ファイバコードの外形は回転非対称形状であり、その先端に前記二次側光コネクタプラグが嵌合する向きを揃えて取り付けられており、前記整列盤の二次側光ファイバコードを摺動可能に保持する整列孔は、前記二次側光ファイバコードと同様な回転非対称形状であることを特徴とする。
【００１３】
上記目的を達成する本発明の請求項２に係る光ファイバ接続切替装置は、請求項１に記載した光ファイバ接続切替装置において、前記回転非対称形状とは、二等辺三角形の形状であることを特徴とする。
【００１４】
上記目的を達成する本発明の請求項３に係る光ファイバ接続切替装置は、請求項１に記載した光ファイバ接続切替装置において、前記回転非対称形状とは、２つの大小の円を部分的に重ね合わせた形状であることを特徴とする。
【００１５】
【作用】
本発明によれば、光ファイバコード及び整列盤を用いて二次側光コネクタプラグの向きを一定方向に揃えることができる。
そして、汎用品であるＳＣコネクタプラグやＭＵコネクタプラグを、光ファイバ接続切替装置に利用することが可能となり、低コスト化が可能となる。
更に、斜め研磨（ＡＰＣ研磨）のコネクタプラグを利用することが可能となり、コネクタ接続点の反射減衰量を向上させることが可能となる。
また、装置製造時に整列盤にコードを収納する方向を誤ることがない。
【００１６】
【発明の実施の形態】
以下、図面を参照して本発明の実施例について説明する。
［実施例１］
本発明に係る第一の実施例を図１、図２及び図３に示す。
本実施例に係る二次側光ファイバコード１２の外形は、図１に示すように二等辺三角形である。
【００１７】
整列盤１３には、図２に示すように、二次側光ファイバコード１２を収納するための、二等辺三角形の複数の整列穴１４が切られており、その上から蓋１５がされている。
その他の構成は前述した図１に示す従来技術と同様であるので説明を省略する。
従って、図４に示すように二次側光ファイバコード１２を矢印の方向に引っ張ると、二次側光コネクタプラグ１６は、必ず一定方向で整列盤１３に収納される。
【００１８】
この後、ロボットアームで二次側光コネクタプラグ１６を把持し、一次側光コネクタプラグと一定方向で接続する。
また、本実施例においては、整列盤１３に二次側光ファイバコード１２を収納できる方向が定まっているため、装置製造時において整列盤にコードを収納する方向を誤ることがない。
【００１９】
［実施例２］
本発明の第二の実施例を図４、図５、図６及び図７に示す。
本実施例に係る二次側光ファイバコード１７の外形は、図４に示すように、通常の円形の光ファイバコード１８に向きを決めるためのコード１９が縦添えに接続され形状、即ち、２つの大小の円を部分的に重ね合わせた形状となっている。
【００２０】
本実施例に係る整列盤２０は、図５に示すように、二次側光ファイバコード１７を収納するための、２つの大小の円を部分的に重ね合わせた形状、いわゆる、だるま状断面の複数の整列穴２１が切られており、その上から蓋２２がされている。
その他の構成は前述した図１に示す従来技術と同様であるので説明を省略する。
【００２１】
図６に示すように二次側光ファイバコード１７を矢印の方向に引っ張ると、二次側光コネクタプラグ２３は、必ず一定方向で整列盤２０に収納される。
この後、ロボットアームで二次側光コネクタプラグ２３を把持し、一次側光コネクタプラグと一定方向で接続する。
【００２２】
なお、図７に示すように、向きを決めるためのコード１９は容易に切り取ることができるようになっており、二次側光コネクタプラグ２３のブーツ２４は通常の円形光ファイバコード用のものを使用することができる。
また、本実施例においては、整列盤２０に二次側光ファイバコード１７を収納できる方向が定まっているため、装置製造時において整列盤にコードを収納する方向を誤ることがない。
【００２３】
このように説明したように本発明は、光ファイバ接続切替の作業において、２次側光ファイバコードの外形が、二等辺三角形やだるま形などの回転非対称な形状であり、コード先端には２次側光コネクタプラグが嵌合する向きを揃えて取り付けられており、整列盤の整列孔が２次側光ファイバコードの断面と同様な回転非対称断面の形状であることを特徴とした光ファイバ接続切替装置であり、これにより、２次側光コネクタプラグが嵌合する向きを一定方向に揃えることができ、光ファイバ接続切替の作業の自動化及び機械化を容易に実現することが可能になる。
【００２４】
【発明の効果】
以上、実施例に基づいて具体的に説明したように、本発明によれば、光ファイバコード及び整列盤を用いて二次側光コネクタプラグの向きを一定方向に揃えることができる。
そして、汎用品であるＳＣコネクタプラグやＭＵコネクタプラグを、光ファイバ接続切替装置に利用することが可能となり、低コスト化が可能となる。
更に、斜め研磨（ＡＰＣ研磨）のコネクタプラグを利用することが可能となり、コネクタ接続点の反射減衰量を向上させることが可能となる。
また、装置製造時に整列盤にコードを収納する方向を誤ることがない。
【図面の簡単な説明】
【図１】本発明の実施例１における二次側光ファイバコードの斜視図である。
【図２】本発明の実施例１における整列盤の斜視図である。
【図３】本発明の実施例１における二次側光コネクタプラグを収納した整列盤を示す斜視図である。
【図４】本発明の実施例２における二次側光ファイバコード斜視図である。
【図５】本発明の実施例２における整列盤の斜視図である。
【図６】本発明の実施例２における二次側光コネクタプラグを収納した整列盤を示す斜視図である。
【図７】本発明の実施例２における二次側光コネクタプラグ及び二次側光ファイバコードの側面図である。
【図８】従来の光ファイバ接続替え装置に係り、図８（ａ）はその平面図、図８（ｂ）はその側面図である。
【図９】従来の光ファイバ接続替え装置の整列盤の斜視図である。
【符号の説明】
１  一次側光ファイバコード
２  一次側光コネクタプラグ
３  二次側光ファイバコード
４  二次側光コネクタプラグ
５  光アダプタ
６  接続盤
７  整列盤
８  余長収納部
９  ロボットハンド機構
１０  巻き上げ機構
１１  移動機構
１２  二次側光ファイバコード
１３  整列盤
１４  二等辺三角形等の整列穴
１５  蓋
１６  二次側光コネクタプラグ
１７  二次側光ファイバコード
１８  通常の円形の光ファイバコード
１９  向きを決めるためのコード
２０  整列盤
２１  だるま状断面の整列穴
２２  蓋
２３  二次側光コネクタプラグ
２４  ブーツ
【図１】
2004333601.tif 000003
【図２】
2004333601.tif 000004
【図３】
2004333601.tif 000005
【図４】
2004333601.tif 000006
【図５】
2004333601.tif 000007
【図６】
2004333601.tif 000008
【図７】
2004333601.tif 000009
【図８】
2004333601.tif 000010
【図９】
2004333601.tif 000011